(57)【特許請求の範囲】
【請求項１】
吸収体の個装包装体（２０）であって、
（a）長手方向に伸びる吸収体（２０）と、一対の長手方向側縁（２６）、一対の端縁（２８）と衣服面と身体面とを有する本体部分（２２）を含み、本体部分（２２）の衣服面が主留具（７４）を備え、
（b）吸収体のラッパー（７８）は、主ラッパーシート（８０）と主留め具カバー（８２）を備え、前記吸収体（２０）は、以下の（c）〜（e）を特徴とする個装包装体（２０）。
（c）本体部分（２２）の身体面は、主ラッパーシート（８０）に向くように配置されており、本体部分（２２）の主留め具カバー（８２）によってカバーされており、主留め具カバー（８２）は主ラッパーシート（８０）に接合されており、
（d）本体部分（２２）とラッパー（７８）は、少なくとも１つの横断方向軸を中心として１単位として折り畳まれ、衣服面が前記折り畳み単位に対して内側に向けられ、前記主留め具（７４）の少なくとも一部が、吸収体（２０）の少なくとも一部ーが開かれたときに露出される、
（e）主ラッパーシート（８０）は一対の長手方向のサイド部分（８０Ｄ）、第１の端部分（８０Ａ）および第二の端部分（８０Ｂ）を有し、
主留め具カバー（８２）は一対の長手方向の側部分（８２Ｅ）、固定端部分（８２Ｃ）、自由端部分（８２Ｄ）を有しており、この固定端部分（８２Ｃ）は主ラッパーシート（８０）の第二部分（８０Ｂ）の近くに折り畳まれた形状に配置されており、ここにおいて、
この固定端部分（８２Ｃ）は主ラッパーシート（８０）の第二の端部分（８０Ｂ）に接合されている、
【請求項２】
前記本体部分(２２)及び前記ラッパー(７８)は２つの横断方向軸と３つの部位とを有しており、これら２つの軸は第一軸(Ｆ１)と第二軸(Ｆ２)とを有しており、これら３つの部位は第一部位(３９)、第二部位(４１)、及び第三部位(４３)を有しており、第一部位(３９)と第二部位(４１)とは第一軸(Ｆ１)によって分離されており、第一部位(３９)と第三部位(４３)とは第二軸(Ｆ２)によって分離されており、本体部分(２２)とラッパー(７８)とは、第二部位(４１)の本体部分が、第一部位(３９)の本体部分の上に積重ねられるように第一軸(Ｆ１)に沿って折り畳まれ、かつ第三部位(４３)の本体部分が第二部位(４１)の主ラッパーシート(２０)の上に積重ねられるように第二軸(Ｆ２)に沿って折り畳まれる、請求項１に記載の吸収体(２０)。
【請求項３】
前記主ラッパーシート(８０)の前記第二端部分(８０Ｂ)は前記第二部位に配置されており、前記主留め具カバー(８２)の固定端部分(８２Ｃ)は、第二部位の主ラッパーシート(８０)の前記第二端部分(８０Ｂ)に接合されている、請求項２に記載の吸収体（２０）。
【請求項４】
前記主留め具カバー(８２)は前記第三部位(４３)の一部に少なくとも伸びており、主留め具カバー(８２)の前記固定端部分(８２Ｃ)は、前記第二部位(４１)の前記主ラッパーシート(８０)の前記第二端部分(８０Ｂ)に接合されている、請求項３に記載の吸収体（２０）。
【請求項５】
前記主留め具カバー（８２）は前記第一部位（３９）、前記第二部位（４１）、及び前記第三部位（４３）に沿って伸びている、請求項４に記載の吸収体（２０）。
【請求項６】
前記主留め具カバー（８２）は前記主ラッパーシート（８０）とは別れた要素から形成されている、請求項１に記載の吸収体（２０）。
【請求項７】
前記吸収体（２０）は、前記本体部分（２２）に接合され、かつ本体部分（２２）の前記長手方向サイド縁（２６）を越えて側面方向に外側に伸びている一対のフラップ（２４）を有しており、このフラップ（２４）の衣服側表面が、フラップ留め具（７６）を有している、請求項１に記載の吸収体（２０）。
【請求項８】
前記フラップ（２４）は前記本体部分（２２）の前記体側表面の上に折り被せられて前記フラップ留め具（７６）を露出し、このフラップ留め具（７６）は前記主ラッパーシート（８０）に剥離可能に付着されている、請求項７に記載の吸収体（２０）。
【請求項９】
前記ラッパー（７８）は前記主ラッパーシート（８２）の上に設けられているフラップ留め具カバー（８１）を含んでおり、前記フラップ留め具（７６）はこのフラップ留め具カバー（８１）に剥離可能に付着されている、請求項８に記載の吸収体（２０）。
【発明の詳細な説明】
【０００１】
（分野）
この発明は個装吸収体に関する。
【０００２】
（背景）
体の排泄物を吸収するために用いられる吸収体、例えば使い捨ておむつ、大人の失禁用製品、又は生理用ナプキンはよく知られている。このような吸収体は一般的には、液体透過性トップシートを含んでいてもよい体側表面、液体不透過性バックシートを含んでいてもよい衣服側表面、及びこれらの間にある吸収体を有する。吸収体が用いられている時、吸収体の体側表面は、装着者の体に向けて配置されており、衣服側表面は、装着者の下着に対して配置されている。吸収体の体側表面は、吸収体の使用前に衛生的に保たれていなければならないが、その理由は、体側表面が装着者の体に直接触れるからである。典型的には、吸収体例えば生理用ナプキンは、吸収体を汚染から守るために、ラッパーによって個別に包まれている。このような個装吸収体は、例えば１９９５年７月１８日に公開された日本公開実用新案公報第９５／３９８２０号、１９９４年１０月２５日に公開された日本公開実用新案公報第９４／７５４４６号、及び１９９１年７月３１日に公開された日本公開特許公報第９１／１７３７６号に開示されている。いくつかの既知の設計において、吸収体例えば生理用ナプキンは、生理用ナプキンの体側表面が、折り畳まれた生理用ナプキンに対して内側に向けられ、衣服側表面がラッパーによって包まれるように、３つの部分に折り畳まれている。生理用ナプキンの衣服側表面もまた、生理用ナプキンを下着に固定するために、ラッパーによってカバーされている主留め具を含んでいる。これらの吸収体において、体側表面は、生理用ナプキンが装着者の下着に取り付けるために広げられる前、装着者の手による接触から保護されている。しかしながら装着者は、生理用ナプキンを装着者の下着に取り付ける時に、生理用ナプキンからラッパーを開いて取り除き、生理用ナプキンを広げなければならない。ラッパー及び生理用ナプキンが開けられている形状において、生理用ナプキンの主留め具は、ラッパーによって依然としてカバーされており、これは生理用ナプキンの体側表面が露出されている間露出されていない。従って装着者は、生理用ナプキンからラッパーを除去して、主留め具を露出しなければならない。このプロセスの間、装着者は生理用ナプキンの体側表面に触れることがある。これによって体側表面の汚染が生じる。さらには装着者がラッパーを除去した後、生理用ナプキンを下着に取り付けている間、装着者は、衣服側表面上に設けられている主留め具を下着に固定するために、体側表面に触れて、及び／又は生理用ナプキンの体側表面を下着の方に押しやって生理用ナプキンを取り付ける傾向がある。このこともまた汚染を引起す。従って、装着者がラッパーを除去し、生理用ナプキンを下着に取り付ける時に、生理用ナプキンの体側表面を保護するための便利な手段はない。
【０００３】
生理用ナプキンの下着への取り付け中に、生理用ナプキンの体側表面を保護しようとする試みがなされている。例えば日本公開特許公報第９６／５６９８９号は、吸収体、例えば生理用ナプキンの本体部分の体側表面をカバーする表面カバーシートを有する生理用ナプキンを開示している。この生理用ナプキンはまた、生理用ナプキンの衣服側表面上に設けられた剥離紙カバー接着剤をも有する。装着者は、装着者が生理用ナプキンを下着に取り付ける前に、衣服側表面の接着剤をカバーしている剥離紙を除去しなければならない。このことは装着者にとって非常に不便である。
【０００４】
前記のことに基づくと、主ラッパーシートを有するラッパーによって個装されている吸収体であって、包みを開けて取り付けている間、この吸収体の体側表面が例えば装着者の手から保護されている吸収体へのニーズがある。現存技術のどれも、これらの利点のすべて及び本発明の効果を与えない。
【０００５】
（概要）
本発明は個装吸収体を提供する。この個装吸収体は、吸収体とラッパーとを備えている。吸収体は長手方向に伸びており、一対の長手方向サイド縁、一対の端縁、衣服側表面、及び体側表面を有する本体部分を含んでいる。本体部分の衣服側表面は、主留め具を有する。吸収体用のラッパーは、主ラッパーシートと主留め具カバーとを有している。本体部分の体側表面は、主ラッパーシートの方に向くように配置されている。本体部分の主留め具は、主留め具カバーによってカバーされている。主留め具カバーは、主ラッパーシートに接合されている。本体部分及びラッパーは、少なくとも１つの横断方向軸の周りで一単位として折り畳まれ、従って衣服側表面は、この折り畳まれた単位に対して内側に向けられる。主留め具の少なくとも一部は、ラッパーが開けられた時に露出される。
【０００６】
（発明の詳細な説明）
本明細書は、本発明を特に指摘し明確に請求する請求項をともなうが、本発明は、同じ参照符号が同一の要素を指摘するのに用いられている添付の図面を参考にした好ましい実施の形態の下記の説明からより良く理解されるであろう。
【０００７】
引例はすべて、参照して全体がここに組込まれている。どの文献の引用も、特許請求されている発明の先行技術としての有効性についての決定に関して認めているわけではない。
【０００８】
「備えている（ｃｏｍｐｒｉｓｉｎｇ）」とは、最終結果に影響を与えないその他の工程及びその他の要素を加えることができるという意味である。この用語は、「〜から成る（ｃｏｎｓｉｓｔｉｎｇ  ｏｆ）」及び「本質的に〜から成る（ｃｏｎｓｉｓｔｉｎｇ  ｅｓｓｅｎｔｉａｌｌｌｙ  ｏｆ）」という用語を包含する。
【０００９】
個別に包まれた吸収体、例えば生理用ナプキンは、吸収体を汚染から守るのに有用である。このような吸収体は、主ラッパーシートと主留め具カバーとを含むラッパーによって包まれていてもよい。吸収体を下着に取り付けている間、吸収体の体側表面を汚染から守るために、主ラッパーシートが設けられていてもよい。吸収体の衣服側表面に設けられている主留め具を保護するために、主留め具カバーが設けられていてもよい。吸収体が、吸収体のいくつかの部分を保護するために、２つの別々の材料要素を有しているならば、かつ装着者が、吸収体を下着に取り付けるプロセスの前にこれらの要素を別々に除去しなければならないならば、このことは装着者にとって非常に不便である。本発明は、体側表面が、吸収体を取り付けている間に、例えば装着者の手から保護されている、個別に包まれた吸収体へのニーズに応える。さらには本発明は、主ラッパーシートと主留め具カバーとを有する吸収体であって、装着者が吸収体を下着に取り付けるプロセスの前に主留め具カバーを除去するという余分な工程を生じる必要がない吸収体を提供する。本発明のこれらの特徴及びその他の特徴は、以下により詳細に考察される。
【００１０】
ここで図面を参照すると、本発明は、好ましいが非限定的な実施の形態において開示されている。図１及び２に示されているように、本発明は、使い捨て吸収体、特に生理用ナプキン２０用のラッパー７８を含んでいる。
【００１１】
生理用ナプキン２０は、膣排出物、例えば月経分泌物を収集し、このような排出物による装着者の衣服の汚れを防ぐために用いられる。図１、２、及び３に示されているように、生理用ナプキン２０は、基本的には本体部分２２を含んでいる。生理用ナプキン２０は、使用している時に折り畳まれて装着者の下着の縁を包み込む一対のフラップ２４を含んでいてもよい。生理用ナプキン２０の本体部分２２は、本体留め具、例えば感圧接着剤留め具を、本体部分２２を装着者の下着に留めるために有していてもよい。フラップ２４は好ましくは各々、装着者の下着の股部の縁の周りで折り畳まれた形状において生理用ナプキン２０のフラップ２４を剥離可能に付着するために、フラップ留め具、例えば感圧接着剤留め具を有する。ラッパー７８は、フラップ留め具と生理用ナプキン２０の体側表面とをカバーして保護する役割を果たし、生理用ナプキン２０の周りで折り畳まれて、生理用ナプキン２０のための個装を生じる。
【００１２】
生理用ナプキン２０（及びこれの本体部分２２）は、２つの表面、すなわち装着者の体に隣接して装着されることになる液体透過性の体と接触する表面又は「体側表面」２０Ａと、液体不透過性衣服側表面２０Ｂとを有する。生理用ナプキン２０は、図３において、その体側表面２０Ａから見られたものとして示されている。生理用ナプキン２０（その他の要素、例えばラッパー７８と共に）は、図１において、その衣服側表面２０Ｂから見られたものとして示されている。生理用ナプキン２０は、２つの中心線、すなわち主長手方向中心線Ｌと、主横断方向中心線（図面に示されていない）とを有する。ここでの「長手方向」とは、生理用ナプキン２０が装着されている時に立っている装着者を左半身と右半身とに二分する垂直平面と一般に整合する（例えばほぼ平行な）生理用ナプキン２０の平面における線、軸、又は方向のことを言う。ここでの「横断方向」、「側面方向」、又は「幅」は、相互交換可能であり、長手方向に一般に垂直な生理用ナプキン２０の平面内にある線、軸、又は方向のことを言う。
【００１３】
図３は、生理用ナプキン２０の本体部分２２とフラップ２４とを示している。本体部分２２は、２つの間隔があけられている長手方向サイド縁２６、２つの間隔があけられている横断方向縁又は端縁（又は「端」）２８を有する。これらは共に、本体部分２２の周辺部３０を形成している。本体部分２２はまた、中央セクション（第一セクション）３６、１つの端セクション（第二セクション）３４、及びもう一方の端セクション（第三セクション）３２を含む３つのセクションを有する。第一セクション３６は、第二セクション３４と第三セクション３２との間に配置されている。第二セクション３４及び第三セクション３２は、長手方向において本体部分２２の中央セクション３６の縁から外側に伸びている。生理用ナプキン２０が個装されている時、本体部分２２及びラッパー７８は、一単位として３つの部位に折り畳まれる。これらの部位は、２つの折り畳み軸Ｆ１及びＦ２によって分割された第一部位３９、第二部位４１、及び第三部位４３を含んでいる（図１参照）。本体部分２２の第一セクション３６、第二セクション３４、及び第三セクション３２は一般に、それぞれ第一部位３９、第二部位４１、及び第三部位４３の中まで伸びている。
【００１４】
生理用ナプキン２０の本体部分２２は、あらゆる厚さのものであってもよい。これには、比較的厚い、中間の厚さ、比較的薄い、あるいは非常に薄い（「超薄型」）ものでさえ含まれる。それぞれ１９９０年８月２１日及び１９９１年８月２３日にＯｓｂｏｒｎに発行された米国特許第４，９５０，２６４号及び第５，００９，６５３号に記載されているような「超薄型」生理用ナプキン２０は、好ましくは約３ｍｍ未満のキャリパーを有する。図面に示されている生理用ナプキン２０の実施の形態は、中間の厚さの生理用ナプキンの一例としてのものである。生理用ナプキン２０の本体部分２２はまた、比較的柔軟性があり、従ってこれは装着者にとって快適である。示されている生理用ナプキンは、単に１つの実施の形態にすぎず、本発明のラッパーは、図面に示されている種類又はこのような特定の形状を有する吸収体との使用に限定されないと理解すべきである。
【００１５】
図２は、生理用ナプキン２０の本体部分２２の個々の要素を示している。生理用ナプキン２０の本体部分２２は、好ましくは少なくとも３つの主要素を有する。これらは、液体透過性トップシート３８、液体不透過性バックシート４０、及びトップシート３８とバックシート４０との間に配置されている吸収性コア４２を含んでいる。トップシート、バックシート、及び吸収性コアは、この技術で知られている多様な形状に組立てられていてもよい（これには層化又は「サンドイッチ」形状、及び包み込まれている形状又は「管」形状が含まれる）。本体部分２２の要素に適した材料、及びこのような要素が組立てられうる様々な形状のいくつかは、一般に次の特許に記載されている。すなわち、例えば１９８２年３月３０日にＡｈｒに発行された、発明の名称が「縁のある使い捨て吸収体（Ｂｏｒｄｅｒｅｄ  Ｄｉｓｐｏｓａｂｌｅ  Ａｂｓｏｒｂｅｎｔ  Ａｒｔｉｃｌｅ）」という米国特許第４，３２１，９２４号；１９８４年１月１０日にＤｅｓＭａｒａｉｓらに発行された、発明の名称が「複合生理用ナプキン（Ｃｏｍｐｏｕｎｄ  Ｓａｎｉｔａｒｙ  Ｎａｐｋｉｎ）」という米国特許第４，４２５，１３０号；１９９０年８月２１日にＯｓｂｏｒｎに発行された、発明の名称が「薄い柔軟性生理用ナプキン（Ｔｈｉｎ，Ｆｌｅｘｉｂｌｅ  Ｓａｎｉｔａｒｙ  Ｎａｐｋｉｎ）」という米国特許第４，９５０，２６４号；１９９４年５月３日にＳｎｅｌｌｅｒらに発行された、発明の名称が「弾性化生理用ナプキン（Ｅｌａｓｔｉｃｉｚｅｄ  Ｓａｎｉｔａｒｙ  Ｎａｐｋｉｎ）」という米国特許第５，３０８，３４６号；及び１９９５年２月１４日にＬａｖａｓｈらに発行された、発明の名称が「フラップ及び示差延伸性ゾーンを有する吸収体（Ａｂｓｏｒｂｅｎｔ  Ａｒｔｉｃｌｅ  Ｈａｖｉｎｇ  Ｆｌａｐｓ  ａｎｄ  Ｚｏｎｅｓ  ｏｆ  Ｄｉｆｆｅｒｅｎｔｉａｌ  Ｅｘｔｅｎｓｉｂｉｌｉｔｙ）」という米国特許第５，３８９，０９４号である。生理用ナプキン２０の本体部分２２はまた、１つ又はそれ以上の延伸性要素によって形成されていてもよい。例えば、どちらもＯｓｂｏｒｎらの名前で１９９２年７月２３日に出願された米国特許出願番号第０７／９１５，１３３号及び第０７／９１５，２８４号（どちらも１９９３年２月４日に公開されたＰＣＴ公開番号第ＷＯ９３／０１７８５号及び第９３／０１７８６号）に記載されている生理用ナプキン等である。
【００１６】
図２は、サンドイッチ構成に組立てられた生理用ナプキン２０の好ましい実施の形態を示している。ここにおいてトップシート３８及びバックシート４０は、吸収性コア４２のものよりも一般に大きい長さ及び幅を有する。トップシート３８及びバックシート４０は、吸収性コア４２の縁を超えて伸びて、周辺部３０の部分を形成する。トップシート３８は、好ましくは吸収性コア４２の体側に接合され、バックシート４０は好ましくは吸収性コア４２の衣服側に接合されている。トップシート３８及びバックシート４０は、この目的のためにこの技術で知られているあらゆる適切なやり方で、例えば接着剤のオープンパターンによって吸収性コア４２に接合されていてもよい。吸収性コア４２の縁を超えて伸びているトップシート３８及びバックシート４０の部分も、好ましくは互いに接合されている。トップシート３８及びバックシート４０のこれらの部分もまた、この技術で知られているあらゆる適切なやり方で接合されていてもよい。好ましくは示されている実施の形態において、トップシート３８及びバックシート４０のこれらの部分は、吸収性コア４２の縁を超えて伸びている実質的に全体の部分の上では接着剤を用い、かつトップシート３８及びバックシート４０が圧力又は圧力と熱とを加えることによって圧縮されている本体部分２２の周辺部３０の周りではクリンプシールを用いて接合されている。
【００１７】
図３に示されている生理用ナプキン２０はまた、前記のように、本体部分２２に接合されている一対のフラップ２４を有していてもよい。フラップ２４は、これらの近位縁４４からこれらの遠位縁（又は「自由端」）４６まで、本体部分２２の長手方向サイド縁２６を超えて側面方向に外側に伸びている。フラップ２４は、本体部分２２の第一セクション３６の少なくとも一部から側面方向に外側に伸びており、フラップ２４の大部分は、折り畳み軸Ｆ１及びＦ２によって分割されている第一部位３９の中まで伸びている（図１参照）。
【００１８】
フラップ２４は、あらゆる適切なやり方で本体部分２２に接合されていてもよい。ここでの「接合されている」とは、１つの要素が、この要素をもう一方の要素に直接付着させることによって別の要素に直接固定されている形状；要素が、この要素をこれ自体がもう一方の要素に固定されている中間部材に付着させることによって、間接的にもう一方の要素に固定されている形状；及び１つの要素が別の要素と一体的である、すなわち１つの要素が本質的にもう一方の要素の一部である形状をも包含する。好ましくは図３に示されている実施の形態において、フラップ２４は本体部分２２と一体的である（すなわちフラップ２４は、バックシート４０の一体的延長部によって形成されている；あるいはこれらのフラップ２４は、同一の広がりを持つトップシート３８及びバックシート４０の一体的延長部によって形成されていてもよい）。
【００１９】
これに代わる別の実施の形態において、フラップ２４は、本体部分２２の衣服側に接合されている１つ又はそれ以上の別々の要素によって形成されていてもよい。好ましくはこのような場合、これらのフラップ２４は各々、本体部分２２の衣服側に接合されている別れた要素によって形成されている。このような代替実施の形態において、フラップ２４は、あるいはまた好ましくは、これらが本体部分２２及び本体部分２２の長手方向サイド縁２６に接着されている地点間では、生理用ナプキン２０の本体部分２２の衣服側に接着されていない。これらの後者の実施の形態においてフラップ２４は、あらゆる適切な接着メカニズムによって本体部分２２の衣服側に接合されていてもよい。適切な接着メカニズムは、接着剤等を含むがこれらに限定されるわけではない。
【００２０】
フラップ２４が、本体部分２２に接合されている（あるいはこれから伸びている）生理用ナプキン２０上の位置又は部位は、ここでは「接合部」と呼ばれる。これらの部位は一般的には、長手方向に向けられた（又は「長手方向」）接合部、例えば接合線４８であろう。これらの部位は、様々な曲線又は直線のどれであってもよいが、これらは線に限定されない。従って接合部は、フランジ、ストリップ、断続線等を含んでいてもよい。
【００２１】
フラップ２４は、所望のあらゆる形状のものであってもよい。例えばフラップ２４には、各フラップ２４の前縁と後縁とに、延伸性ゾーン（図面には示されていない）が設けられている。これらの延伸性ゾーンは、装着者の下着の股部の周りでフラップ２４を折り畳むことによってフラップ２４に生じる応力を緩和する。これによって延伸性ゾーンは、前記応力によって生じたフラップ２４のこぶ形成（ｂｕｎｃｈｉｎｇ）を取り除くのを助ける。延伸性ゾーンは、フラップ２４の予め波形形成されているか、あるいは「リングロールされた」部位によって形成されていてもよい。ここにおいて、これらの波形は、主長手方向中心線Ｌに対してある角度で配向されている隆起部及び谷部を画定している。フラップ２４に延伸性ゾーンを備えさせるのに適した構造は、次の特許にさらに詳細に記載されている。すなわち例えばＬａｖａｓｈらに発行された米国特許第５，３８９，０９４号、及び１９９５年１月３０日にＳｕｅ  Ａ．Ｍｉｌｌｓらの名前で出願された、発明の名称が「ギャザー部分を備えたフラップを有する吸収体（Ａｂｓｏｒｂｅｎｔ  Ａｒｔｉｃｌｅ  Ｈａｖｉｎｇ  Ｆｌａｐｓ  Ｗｉｔｈ  Ｇａｔｈｅｒｅｄ  Ｐｏｒｔｉｏｎｓ）」という共に譲渡された同時出願（ｃｏｐｅｎｄｉｎｇ）米国特許出願番号第０８／３８０，７６９号である。
【００２２】
生理用ナプキン２０は好ましくはまた、生理用ナプキン２０を装着者の下着の定位置に固定するための留め具を有する。図３及び４は、本体留め具、例えば本体接着剤７４、及びフラップ留め具、例えばフラップ接着剤７６を含む留め具の好ましい配列を示している。生理用ナプキン２０と共に用いられる留め具は、接着剤留め具に限定されない。この技術で知られているあらゆる適切な種類の留め具を、この目的のために用いることができる。例えば生理用ナプキン２０は、機械的留め具、例えばベルクロ（ＶＥＬＣＲＯ（登録商標））によって、あるいは接着剤と機械的留め具との組み合わせによって、装着者の下着の定位置に固定することができよう。しかしながら単純化のために、留め具は接着剤留め具として記載され、これらの留め具は好ましくは感圧接着剤留め具である。適切な感圧接着剤留め具は、例えば１９９０年４月１７日にＯｓｂｏｒｎらに発行された米国特許第４，９１７，６９７号により詳細に記載されている。
【００２３】
本体接着剤７４及びフラップ接着剤７６は、あらゆる適切な形状配置において設けられていてもよい。図１及び３に示されている好ましい実施の形態において、本体接着剤７４は、主長手方向中心線Ｌの周りに中心がある１つの長手方向に向けられた接着剤ストリップの形態で設けられている。本体接着剤７４は、互いに平行に配置された２つ又はそれ以上の長手方向に向けられた接着剤ストリップの形態で設けられていてもよい。あるいはまた本体接着剤７４は、長手方向において距離をあけて配置された２つ又はそれ以上の一般に長方形の接着剤パッチの形態で設けられていてもよい。フラップ接着剤７６は、各々のフラップ２４上に一般に長方形の接着剤パッチの形態で設けられている。本体接着剤７４は、生理用ナプキン２０の本体部分２２を、パンティーの股部に対して固定するための接着剤接着手段を与える。フラップ接着剤７６は、これらがパンティーの股部の縁の周りで包み込まれた後、フラップ２４を定位置に維持するのを助けるために用いられている。これらのフラップは、フラップ２４を下着又は反対側のフラップに接着させることによって、定位置に維持することができる。あるいはまた、フラップ２４には、フラップ接着剤が設けられていなくてもよい。
【００２４】
図１、２、及び７は、ラッパー７８の１つの好ましいバージョンを示している。ラッパー７８は、単一要素から形成されていてもよく、あるいはいくつかの要素から形成されていてもよい。これらの要素は、単一部材又は単一製品の一体的部分によって形成されていてもよく、あるいはこれらは、１つの部材又は製品に接合されている別々の要素によって形成されていてもよい。ラッパー７８を構成する要素は、主ラッパーシート８０；主留め具カバー８２を含んでおり；場合によっては、フラップ２４が設けられており、かつフラップ接着剤７６がフラップ２４上に設けられているならば、フラップ留め具カバー８１（図２には示されていない）を含んでいてもよい。
【００２５】
主ラッパーシート８０は、生理用ナプキン２０の周りで折り畳まれて生理用ナプキン２０のための個装を生じるラッパー７８の部分である。主ラッパーシート８０は好ましくは、生理用ナプキン２０の体側表面２０Ａの側をカバーし、以下に記載されているように生理用ナプキン２０に剥離可能に付着されている。図１及び７に示されているように、主ラッパーシート８０は、２つの表面、すなわち内側表面８０Ｅと外側表面８０Ｆとを有する（図２参照のこと）。内側表面８０Ｅは、生理用ナプキン２０の方に向いている表面である。主ラッパーシート８０は好ましくは、生理用ナプキン２０の本体部分２２の寸法よりもわずかに大きい寸法を有する。好ましくは主ラッパーシート８０は、長手方向サイド部分８０Ｄを有しており、これは生理用ナプキン２０の本体部分２２の長手方向サイド縁２６を超えて伸びている。主ラッパーシート８０は好ましくはまた、本体部分２２の端縁２８を超えて伸びている第一端部分８０Ａと第二端部分８０Ｂとを有する。しかしながら生理用ナプキン２０の満足すべき保護は、生理用ナプキン２０の本体部分２２よりも大きくないラッパーによっても得ることができると認められる。主ラッパーシート８０は、あらゆる適切な材料から製造することができる。主ラッパーシート８０は好ましくは、ラッパー７８が使用済み生理用ナプキン２０の包装及び処分に適するように、液体不透過性の薄い柔軟性材料から製造されている。例えばポリエチレンフィルムは、良好な働きをすることが分かっている。主ラッパーシート８０は、不透明材料、半透明材料、又は透明材料から形成されていてもよい。不透明主ラッパーシート８０は、処分のために使用済みの汚れた生理用ナプキンを再び包むために用いられる時、慎み深さ（ｄｉｓｃｒｅｔｅｎｅｓｓ）という利点を与える。しかしながら半透明又は透明主ラッパーシート８０は、生理用ナプキンの下着への視覚による配置を容易にする。
【００２６】
図１、５、及び７を参照すると、主留め具カバー（又は「主接着剤カバー」）８２は、本体接着剤７４をカバー及び保護するために設けられている。主接着剤カバー８２は、薄いシート様要素、例えば紙又はプラスチックフィルムから形成されていてもよい。もしも別れた剥離紙が用いられるならば、これはこの目的のためにこの技術で知られているあらゆる適切な材料、例えばコーテッド紙から形成されていてもよい。適切な剥離紙は、例えば１９９０年４月１７日にＯｓｂｏｒｎに発行された米国特許第４，９１７，６９７号に記載されている。主接着剤カバー８２は、２つの面を有しており、これらの１つは、主留め具との剥離可能接着が可能な非粘着面（又は剥離可能面）８２Ａであり、及びこれと反対側の面又はサイド８２Ｂである。主留め具が接着剤留め具から形成されている時、非粘着面８２Ａは、別れた剥離紙又は要素を、非粘着材料で処理された主接着剤カバー８２に接着させることによって、あるいは主接着剤カバー８２の全部又は一部分を、非粘着コーティングで処理することによって、例えば主接着剤カバー８２の一部分をシリコーンコーティングすることによって供給することができる。あるいはまた、主留め具７４が、機械的留め具例えばベルクロ（登録商標）留め具から形成されているならば、非粘着面は、機械的留め具材料を剥離可能に係合しうる不織布材料によって供給されてもよい。フラップ接着剤カバー８１の反対側８１Ｂは、その上に剥離コーティングを有する必要はなく、好ましくは有していない。主接着剤カバー８２はまた、長手方向サイド部分８２Ｅ、主ラッパーシート８０の第二端部分８０Ｂの近くに固定された固定端部分８２Ｃ、及び第二部位４１において生理用ナプキン２０の端縁２８の近くに位置する自由端部分８２Ｄをも有する（図５参照のこと）。固定端部分８２Ｃの反対側面８２Ｂは、第二端部分８０Ｂの近くで外側表面８０Ｆの方に向いており、あらゆる適切な手段、例えば接着剤９１によってこれに接合されている。自由端部分８２Ｄは、非粘着面８２Ａが、第二部位４１において本体接着剤７４の方に向くように折り畳まれる。
【００２７】
主接着剤カバー８２は、図面では、本体接着剤７４をカバー及び保護するのに十分な幅及び長さを有するにすぎない主接着剤カバー８２を示しているが、あらゆる適切なサイズ及び形状のものであってもよい。好ましくは主接着剤カバー８２の側面方向幅は、主ラッパーシート８０の幅よりも狭い。これによって長手方向サイド部分８２Ｅは、主ラッパーシート８０の長手方向サイド部分８０Ｄのフランジブルシールされた部位（後で説明される）の中まで伸びていない。このフランジブルシール部位によって個装が完成されることになる。
【００２８】
図８は、主ラッパーシート８０と主接着剤カバー８２とを有するラッパー７８のもう１つの実施の形態を示している。図８に示されている実施の形態において、主接着剤カバー８２は、主ラッパーシート８０の別れた要素である代わりに、主ラッパーシート８０の一体的部分である。
【００２９】
フラップ留め具カバー（あるいは「フラップ接着剤カバー」）８１は（もし設けられているならば）、ラッパー７８による生理用ナプキン２０の包装形状において、フラップ接着剤７６をカバー及び保護する。これはまたフラップ２４を、トップシート３８の上に折り被せられた位置に維持する。図４は、フラップ接着剤カバー８１が主ラッパーシート８０に接合される前に、分かれた別のフラップ接着剤カバーによって形成されているフラップ接着剤カバー８１の一例を示している。このような剥離紙８１は、フラップ接着剤カバー８１がフラップ接着剤７６に剥離可能に付着される前又は後に、図２に示されているように主ラッパーシート８０の内側表面８０Ｅにラミネートされてもよい。フラップ接着剤カバー８１は、２つの面を有しており、これらの１つは、フラップ留め具との剥離可能接着が可能な非粘着面（又は剥離可能面）８１Ａであり、及びこれと反対側の面又はサイド８１Ｂである。図２に示されているように、非粘着面８１Ａは、これがフラップ接着剤７６に剥離可能に接着しうるように、フラップ接着剤７６の方に向くように配置されている。反対側８１Ｂは、図２及び４に示されているように、フラップ接着剤７６から離れた方に向けられている。反対側８１Ｂは、あらゆる適切な手段例えば図２に示されているような接着剤層９０によって主ラッパーシート８０の内側表面８０Ｅに接合されている。主ラッパーシート８０が生理用ナプキン２０から除去された時、フラップ接着剤カバー８１は、主ラッパーシート８０上に残留しつつ生理用ナプキン２０のフラップ接着剤７６から除去される。非接着表面８１Ａは、主接着剤カバー８２の非粘着面８２Ａと同じ材料又は要素によって形成されていてもよい。反対側８１Ｂは、剥離コーティングをその上に有していてもよく、有していなくてもよい。
【００３０】
あるいはまた図６に示されているように、フラップ接着剤カバー８１は、剥離コーティングとして主ラッパーシート８０上に設けられていてもよい。フラップ接着剤７６は、剥離コーティング８１に剥離可能に付着されていてもよい。剥離コーティングが用いられるならば、このコーティングは主ラッパーシート８０の内側表面８０Ｅに直接加えられてもよい。このようなコーティングは、この目的のためにこの技術で知られているあらゆる材料から形成されていてもよいが、シリコーンコーティングが好ましい。コーティングが用いられるならば、コーティング８１は、実質的にフラップ接着剤７６と接触する、主ラッパーシート８０のそのゾーンのみをコーティングすることによって供給されてもよい。あるいはまた、主ラッパーシート８０の内側表面８０Ｅ全体がコーティングされてもよい。ラッパーの内側表面全体をコーティングすることは、例えば１９９３年１月２６日にＱｕｉｃｋらに発行された、発明の名称が「非粘着内部を備えた柔軟性容器（Ｆｌｅｘｉｂｌｅ  Ｃｏｎｔａｉｎｅｒ  ｗｉｔｈ  Ｎｏｎｓｔｉｃｋ  Ｉｎｔｅｒｉｏｒ）」という米国特許第５，１８１，６１０号に開示されている。
【００３１】
フラップ接着剤カバー８１は、図面では、フラップ接着剤７６をカバー及び保護するのに十分な幅及び長さを有するにすぎないフラップ接着剤カバー８１を示しているが、あらゆる適切なサイズ及び形状のものであってもよい。
【００３２】
ラッパー７８は好ましくはまた、ラッパー及び生理用ナプキンをその折り畳まれた形状に折り畳むことによって形成された包装を保持するための任意包装留め具８６を含んでいてもよい。包装留め具８６は好ましくは、この包装に剥離可能に接着可能であると同時に再シール可能でもある。包装留め具８６は、この技術で知られているあらゆる剥離可能に接着可能でかつ再シール可能な留め具、例えば接着剤スポット又はパッチ、テープ、及び機械的留め具によって形成されていてもよい。感圧接着剤がその上に配置されている包装留め具は、良好な働きをすることが分かっている。包装留め具８６は、ラッパー７８上のあらゆる適切な位置に配置されていてもよい。図１に示されている実施の形態において、包装留め具８６は好ましくは、主ラッパーシート８０の向かい合った第一端部分８０Ａに位置する。
【００３３】
図９〜１１は、生理用ナプキン２０をラッパー７８に包装するプロセスの一例を示している。この実施の形態において、フラップ接着剤カバー８１が設けられ、これは別れたフラップ接着剤カバーシートである。主接着剤カバー８２は、別れた単一シートである。生理用ナプキン２０をラッパー７８に包装する前に、フラップ２４を、トップシート３８（すなわち体側表面２０Ａ）の上に折り畳む。図６に示されている形状にフラップ２４を折り畳むことによって、フラップ２４の衣服側表面２０Ｂ上に配置された接着剤７６のパッチが露出され、フラップ２４がトップシート３８の少なくとも一部分をカバーする。折り畳まれた左及び右フラップ２４は、フラップ接着剤カバー８１によって互いに連結される。フラップ接着剤カバー８１は、フラップ接着剤７６（図９〜１１に示されていない）をカバーし、フラップ２４をトップシート３８上に折り被せられた位置に維持する。接着剤層９０は、フラップ接着剤カバー８１の反対側８１Ｂの上に設けられている。図９及び１０に示されているように、生理用ナプキン２０は、フラップ接着剤カバー８１の反対側８１Ｂが、主ラッパーシート８０の内側表面８０Ｅの方に向くように、主ラッパーシート８０（すなわち内側表面８０Ｅ）の上に置かれる。これによってフラップ接着剤カバー８１は、接着剤層９０によって主ラッパーシート８０に接合される。体側表面２０Ａは、主ラッパーシート８０の内側表面８０Ｅの方に向いている。生理用ナプキン２０の体側表面２０Ａを主ラッパーシート８０の方に向くように配置することは、トップシート３８が使用前に汚れるのを防ぐための保護を与えると考えることができる。あるいはまたフラップ接着剤カバー８１は、このフラップ接着剤カバー８１がフラップ接着剤７６に剥離可能に付着される前に、主ラッパーシート８０の内側表面８０Ｅに接合されてもよい。この場合生理用ナプキン２０は、フラップ接着剤７６が、主ラッパーシート８０上のフラップ接着剤カバー８１の上に来るように、主ラッパーシート８０の上に置かれる。
【００３４】
衣服側表面２０Ｂ上の本体接着剤７４は、図１０に示されているように、主接着剤カバー８２によってカバーされている。示されているように、主接着剤カバー８２が主ラッパーシート８０にまだ接合されていない形状において、主接着剤カバー８２の固定端部分８０Ａは、主ラッパーシート８０の第一端部分８０Ａの近くに配置されている。自由端部分８２Ｄは、主ラッパーシート８０の第ニ端部分８０Ｂの近くに配置されている。固定端部分８２Ｃは、第三部位４３に配置されており、自由端部分８２Ｄは、第二部位４１に配置されている。主接着剤カバー８２は、生理用ナプキン２０が主ラッパーシート８０の上に置かれる前又は後に、本体接着剤７４に剥離可能に付着されていてもよい。接着剤層９１は、主接着剤カバー８２の第一端部分８２Ｃの近くで主接着剤カバー８２の反対側８２Ｂ上に設けられている。接着剤層９１は、生理用ナプキン２０とラッパー７８とが一単位として折り畳まれる前のいつでもこれに加えられてもよい。
【００３５】
図１０に示されているように、生理用ナプキン２０を主ラッパーシート８０の上に配置した後、ついで生理用ナプキン２０は好ましくは、主ラッパーシート８０、フラップ接着剤カバー８１、及び主接着剤カバー８２を含むラッパー７８と共に一単位として、折り畳み軸Ｆ１及びＦ２によって画定された３つの部位に折り畳まれる。折り畳み軸Ｆ１及びＦ２は、生理用ナプキン２０及びラッパー７８の両方を、第一部位３９、第二部位４１、及び第三部位４３を含む３つの部位に分割する。図１０に示されているように、中央部位（第一部位）３９は、好ましい折り畳み軸Ｆ１とＦ２との間にある。第二部位４１及び第三部位４３は、折り畳み軸Ｆ１及びＦ２の長手方向に外側にある。前記のように本体部分２２はまた、折り畳み軸Ｆ１及びＦ２において、第一セクション３６、第二セクション３４、及び第三セクション３２を含む３つのセクションに分けられる。各セクション３６、３４、及び３２は一般に、それぞれ各部位３９、４１、及び４３の中まで伸びている（図１も参照のこと）。図１０に示されているように、生理用ナプキン２０及び第二部位４１のラッパー７８は、第一部位３９の生理用ナプキン２０の方に一単位として折り畳まれ、従って生理用ナプキン２０の衣服側表面２０Ｂは、この折り畳まれた単位に対して内側に向けられ、主ラッパーシート８０は、この折り畳まれた単位に対して外側に向けられている（図１１も参照のこと）。ついで生理用ナプキン２０及び第三部位４３のラッパー７８は、第二部位４１のラッパー７８（すなわち主ラッパーシート８０）の上に折り畳まれ、従って第三部位４３の衣服側表面２０Ｂは、主ラッパーシート８０の外側表面８０Ｆの方に向く。主接着剤カバー８２上に配置された接着剤層９１のために、主接着剤カバー８２の固定端部分８２Ｃは、図１２に示されているように、主ラッパーシート８０の第二端部分８０Ｂの近くで外側表面８０Ｆに接合されている。折り畳まれた形状において、生理用ナプキン２０の体側表面２０Ａは、主ラッパーシート８０によってカバーされている。さらには衣服側表面２０Ｂは、生理用ナプキン２０及びラッパー７８の折り畳まれた単位に対して内側に向けられている。好ましくは折り畳まれた形状において、生理用ナプキン２０は、主ラッパーシート８０によって完全に包まれ、主ラッパーシート８０の外側に露出されない（すなわち体側表面２０Ａも衣服側表面２０Ｂも、主ラッパーシート８０の外側に露出されない）。
【００３６】
あるいはまた、生理用ナプキン２０は、１つの折り畳み軸によって分割された２つの部位に、ラッパー７８と共に折り畳まれてもよい。このような場合、生理用ナプキン２０及びラッパー７８は、１つの部位における生理用ナプキン２０の一部が、もう一方の部位における生理用ナプキン２０の一部の方に向くように、軸の周りで折り畳まれる。この形状において、生理用ナプキン２０の衣服側表面は、生理用ナプキン及びラッパーの折り畳まれた単位に対して内側に向けられている。
【００３７】
好ましくはラッパー７８への生理用ナプキン２０の個装を完成するために、ついで主ラッパーシート８０の各々の長手方向サイド部分８０Ｄは、生理用ナプキン２０及びラッパー７８が折り畳まれた形状になった後、図１３に示されているようにフランジブルシールされる。主ラッパーシート８０の長手方向サイド部分８０Ｄのフランジブルシーリングは、あらゆる適切なシーリング技術によって実施することができる。例にすぎないが、長手方向サイド部分８０Ｄは、ヒートシール、グルー、又は超音波接着されてもよい。生理用ナプキン２０全体はこれによって、主ラッパーシート８０が開けられるまで保護される。長手方向サイド部分をフランジブルシールするのに適した方法は、例えばＳｗａｎｓｏｎに発行された米国特許第４，５５６，１４６号に記載されている。図１３は、ラッパー７８及び生理用ナプキン２０を、出荷、販売、及び装着者による便利な携帯に好ましい１つの形状に折り畳むことによって形成された生理用ナプキンのための包装を示している。
【００３８】
装着者は通常、図１３に示されている形態の個装生理用ナプキンを携帯する。個装生理用ナプキンは、ラッパー７８から包装留め具８６を剥ぎ取り、主ラッパーシート８０の長手方向サイド部分８０Ｄに沿ってフランジブルシールを破って開けることができ、従って第三部位４３の生理用ナプキン２０は、図１４に示されているように、第二部位４１の主ラッパーシート８０から開けられる。固定端部分８２Ｃは主ラッパーシート８０の外側表面８０Ｆに接合されているので、固定端部分８２Ｃは主ラッパーシート８０と共に留まる。これによって第三部位４３に位置する本体接着剤７４の一部は、第三部位４３が第二部位４１から開けられた時に自動的に同時に露出される。ついで第二部位４１は、図１５に示されているように、第一部位３９に位置する本体接着剤７４をさらに露出するために第一部位３９から開けられる。従って包まれた生理用ナプキンを開けることによって、本体接着剤７４の少なくとも一部は、下着の股部に接着しうる一方で、生理用ナプキン２０の体側表面２０Ａ（図１５に示されていない）が、汚染から保護するために主ラッパーシート８０によってカバーされたままになるように露出される。図１６に示されているように、体側表面２０Ａ（図示されていない）が主ラッパーシート８０によってカバーされている生理用ナプキン２０は、主接着剤７４（今や露出されている）が股部１００の内側に向くように下着１０２の股部１００の上に置かれる。これは、体側表面２０Ａに触れずに行なうことができる（この表面は使用中、その後装着者の体に直接触れる）が、それは、体側表面２０Ａが主ラッパーシート８０によって依然としてカバーされているからである。さらにはフラップ接着剤７６は、装着者の手又は生理用ナプキン２０の一部分に不用意に粘着しないが、その理由は、フラップ接着剤７６が主ラッパーシート８０によってカバーされているからである。この実施の形態において、生理用ナプキン２０を下着１０２に取り付けるプロセスの間、主ラッパーシート８０は、生理用ナプキン２０から容易に分離されないが、その理由は、主ラッパーシート８０と生理用ナプキン２０とがフラップ接着剤７６によって互いに付着されているからである。主ラッパーシート８０は剥離可能に生理用ナプキン２０に付着されているが、生理用ナプキン２０を下着に取り付けるプロセスの間、主ラッパーシート８０が生理用ナプキン２０から容易に分離しないように制御されうる。形状（フラップ留め具がどの程度大きいか）及び／又はフラップ接着剤７６の接着強度は、これを制御するために独立して選ぶことができる。形状（例えば接着剤の比較的大きい面積）及び／又は接着強度（例えば接着剤の比較的高い平均接着強度）の調節は、生理用ナプキン２０の使用中、装着者の皮膚の快適性に影響を与えない。フラップ接着剤７６の形状が大きくなればなるほど、及び／又は接着強度が高くなればなるほど、主ラッパーシート８０は、吸収体から分離しなくなる傾向がある。さらにはこの実施の形態において、フラップ接着剤７６は、主ラッパーシート８０を生理用ナプキン２０に剥離可能に付着させるために用いられているので、主ラッパーシート８０と生理用ナプキン２０とを付着させる追加の手段、例えば皮膚の問題を引起すか、あるいは装着者に粘着性を感じさせることがあるような、トップシート上に設けられている接着剤は不要である。体側表面２０Ａ（図１６に示されていない）は、主ラッパーシート８０によってカバーされているので、体側表面２０Ａは、生理用ナプキンを下着に取り付けるプロセスの間、汚染から保護されている。従って装着者は、主接着剤７４を股部１００に固定するために、主ラッパーシート８０のその側を下着１０２の方に押しやることができる。
【００３９】
ついで装着者は、下着１０２の股部１００に固定されている生理用ナプキン２０から、主ラッパーシート８０を除去するために包装留め具８６を引っ張る。図１７に示されているように、主ラッパーシート８０が除去された時、主ラッパーシート８０の内側表面８０Ｅに接合されているフラップ接着剤カバー８１は、フラップ接着剤７６から除去される。装着者はさらに、図１８に示されているように主ラッパーシート８０を生理用ナプキン２０から除去するために、主ラッパーシート８０を引っ張る。主接着剤カバー８２の固定端部分８２Ｃは、第二部位４１の第二端部分８０Ｂの近くで主ラッパーシート８０の外側表面８０Ｆに接合されているので、装着者は、これらの間に剪断力を感じることなく、本体接着剤７４から主ラッパーシート８０と共に主接着剤カバー８２を剥がすことができる。従って主ラッパーシート８０を備えた生理用ナプキン２０を股部１００に対して配置した後（図１６）、主ラッパーシート８０及び主接着剤カバー８２の除去は、主ラッパーシート８０の一部を引っ張るという単一動作において行なうことができる。除去が完了した後、装着者は、下着の外側表面の方にフラップ２４をひっくり返す。
【００４０】
生理用ナプキンがラッパー７から取り出され、装着者の下着に設置されたら、装着者はラッパー７８を折り畳んで、再シール可能な包装留め具８６をラッパー７８に再び接着させることによって、ラッパー７８をその折り畳まれた配向に固定することができる。その時装着者は、使用済み生理用ナプキンを再び包んで処分するために、折り畳まれたラッパー７８を保存することができる。装着者は、離れたフラップ接着剤カバー８１及び主接着剤カバー８２を回収して処分することについて心配する必要がない。その理由は、フラップ接着剤カバー８１及び主接着剤カバー８２が、主ラッパーシート８０に接合されているからである。従って本発明は、体側表面を衛生的に保ちながら、回収しなければならない余分な廃棄物片を伴わずに容易に設置される清潔な生理用ナプキン２０を装着者に供給する。
【００４１】
本発明の様々なこれに代わる実施の形態が可能である。例えば上に説明された実施の形態において、フラップ２４を有する代わりに、生理用ナプキン２０は、フラップ２４を備えずに本体部分のみから形成されていてもよいであろう。このような場合、剥離可能な接合手段が、生理用ナプキン２０の体側表面２０Ａと主ラッパーシート８０との間に設けられていてもよい。このような剥離可能接合手段は、あらゆる適切な手段から形成されていてもよい。好ましくは接合手段は、装着者の皮膚に好ましくない影響を与えず、主ラッパーシート８０が、生理用ナプキン２０の取り付けプロセス中でさえ本体部分２２から分離しないように、主ラッパーシート８０を体側表面２０Ａに付着させるのに十分な接着強度を有する手段から形成されている。主ラッパーシート８０及び体側表面２０Ａ（すなわちトップシート３８）が、熱可塑性材料から形成されている場合、これらは１つ又はそれ以上の小さいスポットにおいて互いに融合されていてもよい。しかしながら融合スポットの数及び融合スポットの区域は、好ましくは主ラッパーシート８０が体側表面２０Ａから容易に剥離される一方で、融合区域によって装着者に硬い感触を与えないように選ばれる。あまり好ましくないが、接着剤を用いて主ラッパーシート８０と体側表面２０Ａとを接合させてもよい。
【００４２】
生理用ナプキン２０は、追加のもう１対のフラップを有していてもよい。これらの追加フラップは、本体部分２２の長手方向サイド縁２６を超えて側面方向に外側に伸びている。これらの追加フラップは、本体部分２２の１つの端縁２８の近くで、本体部分２２の長手方向においてフラップ２４から離れたところに配置されている。これらの追加フラップは、好ましくは各々、装着者の下着の内側の後部において広げられたままの形状に生理用ナプキン１２０の追加フラップを剥離可能に付着させるために、追加の留め具、例えば感圧接着剤留め具をその上に有している。追加のフラップ接着剤は、パンティーの内側の後部にこれらが広げられた後、追加フラップを定位置に維持するのを助けるために用いられる。追加のフラップ接着剤をカバーするために、追加フラップ接着剤カバーが設けられていてもよい。追加フラップ接着剤カバーは、フラップ接着剤７６のフラップ接着剤カバー８１と同じ材料／形状によって形成されていてもよく、主ラッパーシートの内側表面８０Ｅに接合されている。
【００４３】
本発明の好ましい実施の形態の前記詳細な説明は、単に例証のために示されているにすぎず、多くの修正及び変形例も、本発明の精神及び範囲から逸脱することなく、当業者には明らかになると認められる。従って本発明の範囲は、請求項を参照して決定される。
【図面の簡単な説明】
【図１】  図１は、開けられた位置にある本発明のラッパーの好ましい実施の形態の上部平面図であり、好ましい生理用ナプキンがその上に配置されている。
【図２】  図２は、図１の線ＩＩ−ＩＩに沿う、ラッパー及び生理用ナプキンの横断面図である。
【図３】  図３は、図１に示されている生理用ナプキンの上部平面図であり、フラップが広げられている。
【図４】  図４は、図１に示されている生理用ナプキンの上部平面図であり、フラップがトップシートの上に折り被せられており、フラップ留め具カバーによってカバーされている。
【図５】  図５は、図１の線Ｖ−Ｖに沿う、ラッパー及び生理用ナプキンの横断面図である。
【図６】  図６は、ラッパー及び生理用ナプキンのもう１つの実施の形態の横断面図である。
【図７】  図７は、図１に示されている１つの好ましいラッパーの斜視図である。
【図８】  図８は、ラッパーのもう１つの実施の形態の斜視図である。
【図９】  図９は、ラッパーによる生理用ナプキンの包装プロセスを示す第一概略斜視図である。
【図１０】  図１０は、ラッパーによる生理用ナプキンの包装プロセスを示す第ニ概略斜視図である。
【図１１】  図１１は、ラッパーによる生理用ナプキンの包装プロセスを示す第三概略斜視図である。
【図１２】  図１２は、図９〜１１に示されているプロセスを用いて折り畳まれた生理用ナプキン及びラッパーの横断面図（長手方向中心線に沿ったもの）である。
【図１３】  図１３は、図９〜１１に示されているプロセスを用いて組立てられた、本発明の個装吸収体の１つの実施の形態の斜視図である。
【図１４】  図１４は、図９〜１１に示されているプロセスを用いて組立てられた、個装生理用ナプキンの開封プロセスを示す第一概略斜視図である。
【図１５】  図１５は、図９〜１１に示されているプロセスを用いて組立てられた、個装生理用ナプキンの開封プロセスを示す第ニ概略斜視図である。
【図１６】  図１６は、図９〜１１に示されているプロセスを用いて組立てられた、下着への生理用ナプキンの取り付けプロセスを示す第一概略斜視図である。
【図１７】  図１７は、図９〜１１に示されているプロセスを用いて組立てられた、下着への生理用ナプキンの取り付けプロセスを示す第ニ概略斜視図である。
【図１８】  図１８は、図９〜１１に示されているプロセスを用いて組立てられた、下着への生理用ナプキンの取り付けプロセスを示す第三概略斜視図である。
【図１】
0004316144.tif 000002
【図２】
0004316144.tif 000003
【図３】
0004316144.tif 000004
【図４】
0004316144.tif 000005
【図５】
0004316144.tif 000006
【図６】
0004316144.tif 000007
【図７】
0004316144.tif 000008
【図８】
0004316144.tif 000009
【図９】
0004316144.tif 000010
【図１０】
0004316144.tif 000011
【図１１】
0004316144.tif 000012
【図１２】
0004316144.tif 000013
【図１３】
0004316144.tif 000014
【図１４】
0004316144.tif 000015
【図１５】
0004316144.tif 000016
【図１６】
0004316144.tif 000017
【図１７】
0004316144.tif 000018
【図１８】
0004316144.tif 000019